(57)【要約】      （修正有）【課題】スクロール画面を手で巻取り、或いは巻き戻して任意に選択した画面の範囲を表示する吊下用カレンダー等スクロール表示具を提供する。【解決手段】上部と下部に中空円筒１，２を設け、それぞれの軸に沿ってスクロール画面３を精密にＴ字に取り付けた表示具において、巻とり、巻戻し機構を手動に代替することにより簡略化する。また、係止部品４の簡素化を図り、本体重量を軽減し、選択画面を速やかに特定し、中空円筒の両端に設けた切込に吊紐部６を掛け、選択画面を係止させることで操作を簡略化してカレンダー等スクロール表示具を構成する。【選択図】図１
0003161974.tif 000002
【実用新案登録請求の範囲】
【請求項１】
上部中空円筒と、下部中空円筒を上下に配置し、スクロール画面部の一端を前記上部中空円筒の軸に対してＴ字型に取り付け、前記スクロール画面部の他端も前記下部中空円筒の軸に対してＴ字型に取りつけ、一体にした表示具において、前記上部中空円筒の両端末に、円周に沿って軸と並行に切込を複数箇所設けて各々係止部とし、前記上部中空円筒の中に紐を連通し、紐の最初と終わりをつないで環状の吊紐部とすると共に、前記下部中空円筒についても前記下部中空円筒の両端末に、円周に沿って軸と並行に切込を複数箇所設けて各々係止部とし、前記下部中空円筒の中に紐を連通し、その紐の初めと終わりをつないで環状の吊紐部とし、前記吊紐部が前記下部中空円筒の一端の係止部前面からでて、スクロール画面部の背面を経由し他端の係止部に挿入する配置に構成にしたことを特徴とするカレンダー等スクロール表示具
【請求項２】
前記下部中空円筒において、紐を二回通してから、紐の最初と終わりをつないで環状の吊紐部をニ個構成したことを特徴とする請求項１記載のカレンダー等スクロール表示具。
【請求項３】
前記上部中空円筒と、前記下部中空円筒夫々の両端末の系止部において、円周面上に摩擦力に強い素材層の係止部を設けたことを特徴とする請求項１、及び請求項２記載のカレンダー等スクロール表示具。
【考案の詳細な説明】
【技術分野】
【０００１】  本考案は、スクロール画面を手で巻取り、或いは巻き戻して任意に選択した画面の範囲を表示する吊下用カレンダー等スクロール表示具に関する。
【背景技術】
【０００２】  従来の、例えば、［特許文献１］［特許文献２］［特許文献３］に開示されているような巻取り式カレンダーは、巻取り機構や、それを保持する枠組のため装置が嵩張り、相当な重量があった。又、カレンダー等は数ヶ月分を一度に表示するとか、また、表示したい画面が風景、書、絵画、グラフィック等で、長い画面、短い画面及び順不同の表示画面が必要なこともあり、画面の選択、設定作業に手間がかかる欠点があった。更に又、スクロール画面の横幅を大きくしたい場合、装置の重量が更に増加して、スクロール画面の強度を高くせざるを得ず、取扱い面とコストアップ面からも大画面を表示することは困離であった。【０００３】（先行技術の開示）
【特許文献１】実用新案登録第３１５３８３３号
【特許文献２】実用新案登録第３０９１５８４号
【特許文献３】特開平−２６７９６０
【考案の開示】
【考案が解決しようとする課題】
【０００４】  従来、巻取り式のカレンダー等は、その巻取り、巻戻し機構の重量が大きく、スクロール画面を係止させる機構も部品の重量があり、操作には時間も手間もかかった。本体は壁に吊るすもので軽量化が必要であり、又、取扱い操作も簡単にすることが望ましかった。
【課題を解決するための手段】
【０００５】  本考案は、上記の課題を解決するため、上部中空円筒と下部中空円筒を設け、それぞれの軸に沿ってスクロール画面を精密にＴ字に取りつけた表示具において、前記上部中空円筒の両端末に、円周に沿って軸と並行に切込を複数箇所設け各々係止部とし、前記上部中空円筒の中に紐を通し、紐の最初と終わりをつないで環状の吊紐部にすると共に、前記下部中空円筒についても、前記下部中空円筒の両端末に、円周に沿って軸と並行に切込を複数箇所設け各々係止部とし、前記下部中空円筒の中に紐を連通し、その紐の初めと終わりをつないで環状の吊紐部とし、前記下部中空円筒の一端の係止部の前面からでてスクロール画面部の背面を経由し、他端の係止部に挿入させる配置に構成にする。その結果、係止部品の簡素化が図れ、本体重量を軽減し、前記下部中空円筒２と巻取りスクロール画面の重量で吊紐部がスクロール画面を挟み込んで選択画面を係止させることで操作を簡略にし、選択スクロール画面を速やかに特定することで課題を解決したものを提供する。【０００６】  また、前記下部中空円筒において、前記下部中空円筒内に紐を二回連通してから、紐の最初と終わりをつないで環状の吊紐部をニ個構成する。【０００７】  また、前記上部中空円筒と、前記下部中空円筒夫々の両端末の系止部において、円周上に凹凸状の係止部または、凹凸が殆どなくても摩擦抵抗力の高い素材で作られた係止部を設けて構成する。
【考案の効果】
【０００８】  従って本考案によれば、平面に置いて係止部をはずせば、中空円筒を手で転がすだけでスクロール画面を上側からでも、下側からでも正確に巻取り、巻戻すことができることは自明として、係止部の構成の簡易さから、本体重量を軽減し、吊下げたままでも、巻取り，巻き戻しができ、操作が簡略化されたので、選択画面を速やかに特定して表示ができ操作時間が短縮される効果がある。【０００９】  また、本考案によれば、前記スクロール画面を係止するため、上部中空円筒と下部中空円筒のそれぞれ左右の外周辺端末に設けた切込に吊紐部を挿入するので、振動、や不用意に触れて生じる衝撃があっても外れない効果がある。【００１０】  また、本考案によれば、吊下げたままの状態で選択画面にメモ書き等をして本体が揺れ動くことがあっても吊下げ表示する機能には支障がない。【００１１】  また、巻取り、巻戻しのメカニズム装置とガイドや、カバー部品その他部品等を省略して装置を軽量化したので、本体を安心して壁に吊下げ表示することができ枕元に吊下げる場合でも落下に対して安全性が増す効果がある。【００１２】  また、装置の軽量化と、係止部の改良で中空円筒を長くしてスクロール画面を幅広にすることが容易となり、大画面でも、軽量なため、取扱いやすくなる効果があり、広告、ポスター等の利用範囲が広がる。【００１３】  また、徹底した部品削減により省資源、省エネルギー、環境に対応する効果がある。
【考案を実施するための最良の形態】
【００１４】  上部と下部に中空円筒を設け、それぞれの軸芯に沿ってスクロール画面を精密にＴ字に取りつけた表示具において巻揚、巻戻し機構を手動で代替することにより駆動機構やカバーを削除、又、係止部品の簡素化を図り、本体重量を軽減し、選択画面を正確に特定し、
前記上部円筒と、下部中空円筒夫々の両端に切込を設けて係止部とし、前記上部円筒と、下部中空円筒の中に夫々紐を連通し、その紐の初めと終わりをつないで環状の吊紐とし、前記下部中空円筒にあっては、その一端の前記吊紐部が係止部の前面からスクロール画面部の背面を経由し、他端の係止部に掛ける配置にした構成とする。吊紐部を係止部から外して前期中空円筒をフリーにして巻き上げ、巻き戻しをして選択画面の位置を調整し、決まれば係止部に吊紐を掛け、選択画面を係止させることで操作を簡素化したものである。
【実施例１】
【００１５】  以下、添付図面に従って実施例を説明する。図１は本考案の全体の平面図であり、上部下部中空円筒１，下部中空円筒２を上下に配置し、カレンダーや、風景、書、文章、図面、絵画等を印刷したスクロール画面３の両端が上部中空円筒１と下部中空円筒２の円筒軸に対してそれぞれ精密にＴ字型に取りつけて、平面に置いて中空円筒を転がすだけでスクロール画面３を手動で正確にずれることなく巻取り，巻戻しすることができる掲示具を用いるので、巻取り、巻戻し装置、ガイド、カバー部品がなくても装置の代替が可能となり、大幅に重量削減ができた。【００１６】  以上のような表示具において、スクロール画面３から選択画面を特定して、任意の位置で係止させるため、前記上部中空円筒１の両端の円周面から円筒軸に並行する方向に直線の切込を複数箇所設け吊紐部６を挿入する係止部４、４とし、前記上部中空円筒１の回転を止める。吊紐部６は前記上部中空円筒１の中に紐５を連通し、紐の最初と終わりをつないで環状の吊紐部６を構成する。又、前記下部中空円筒２については前記下部中空円筒２の両端の円周面から円筒軸に並行する方向に直線の切込を各々複数箇所設け、吊紐部６を挿入する係止部４、４とし、前記下部中空円筒２の回転を止める。吊紐部６は、前記下部中空円筒２の中に紐５を連通し、その紐５の初めと終わりをつないで環状の吊紐部６を構成する。前記下部中空円筒２の場合には本考案本体を吊下げるとき、吊紐部６は一端の係止部４の正面からでて、スクロール画面３の背面を経由させてから他端係止部４に挿入する。【００１７】  本考案を以上のごとく構成したので、選択画面の変更をするには、本体を平面に置いて、係止部４、４から吊紐部６を完全に抜き取り、吊紐部６の係止作用と前記上部中空円筒１が連動しないように相互に自在とする。前記下部中空円筒２の場合も同様に係止部４、４から吊紐部６を完全に抜き取り、連動しないように前記同様に相互に自在としてからスクロール画面３を転がし、選択画面が特定されたら係止部４、４に挿入して前記上部及び下部中空円筒１、２の回転を停止させ、特定された画面を表示する。前記下部中空円筒２の場合には本考案本体を吊下げるとき、吊紐部６は一端の係止部４の正面からでて、スクロール画面３の背面を経由させてから他端係止部４に挿入することは前記と同様である。【００１８】  考案の選択画面の変更を吊下げた状態で行う場合は、選択したい画面の位置が現在の表示面から以前にあるか、以後にあるかを予測して、近い方の係止部４，４から外して巻取り，巻戻しを行う。選択する画面の上辺，又は下辺が特定されとき、そのつど吊紐部６を係止部４、４に挿入して選択した画面を停止する。次に前記中空円筒１又は２どちらか反対側の操作で画面を特定し、係止部４、４に挿入し、選択した画面を停止して表示する。このとき、前記下部中空円筒２前記下部中空円筒２、の場合には、吊紐部６は一端の係止部４の正面からでて、スクロール画面３の背面を経由させてから他端係止部４に挿入することは前記と同様である。
【実施例２】
【００１９】  前記下部中空円筒２において、紐５を連通させるとき繰り返して二回通してから、紐の最初と終わりをつないで環状の吊紐部を２個設ける構成にしたカレンダー等スクロール表示具に、一つ目の吊紐部６は、スクロール画面３と下部中空円筒２を支える吊紐６として、前記下部中空円筒２の一端の係止部４の正面からでて、スクロール画面３の背面を経由させてから他端係止部４に挿入する。二つ目の吊紐部６は係止部４、４とスクロール画面３との締め付け効果を安定させるためにあり、下辺にある係止部４，４から下方に出し、下部中空円筒２内において吊紐６がクロスする状態をつくる。スクロール画面３が最終に近くなり、自重が軽減されて係止力が弱まりスリップすることや、風にあおられるのを防止するために、吊紐部６にあらかじめ補助的に締めつけ強化の重錘７を必要により吊下げておくために用いる。通常必要ない場合は広告、標識等に用いる。吊下げ方は着脱自在の引掛け式構造にして、スクロール画面３の巻取り、巻き戻しの際操作の邪魔にならないよう配慮をすることがベターである。
【実施例３】
【００２０】  前記上部中空円筒１、前記下部中空円筒２における係止部４、４の形状が、多少異なっても目的が同じなので夫々の場合について説明する。第３図（ａ）は、上部及び下部の中空円筒１、２夫々の両端の円周面から円筒軸に並行する方向にＶ形の切込を複数箇所設け吊紐部６を挿入する構成とした係止部４，４を用いる場合で、係止部の差込口が広いので吊紐部６、６の差込が容易になり手間がかからない。【００２１】  第３図（ｂ）は、上部及び下部の中空円筒１、２の夫々両端の円周面から円筒軸に並行する方向に波形の切込を複数箇所設け吊紐部６を引掛ける構成とした係止部４，４を用いる場合で、係止部の差込口が無く、波形のくぼみに吊紐部６、６を引掛けるだけなので、手間がかからない。また、確実性を得る観点から実施例２と併用するのが有効である。【００２２】  第３図（ｃ）は、上部及び下部の中空円筒１、２夫々の両端の円周面に沿って摩擦力の強い素材層を設け、吊紐部６を任意の場所に引掛ける係止部４，４を構成した場合で、この場合、素材に硬質の突起あるものでも、軟質で摩擦力の高い、例えば、ゴム、合成樹脂で作られたものでもよく、施工方法には、貼つけ、塗布や、ディッピングモールドで充分可能である。また、確実性を得る観点から実施例２と併用するのが有効であり、紐５に摩擦力の強い素材を選択すると一層有効である。
【図面の簡単な説明】
【００２３】
【図１】本考案全体の正面図を示す。
【図２】本考案の実施例２の正面図を示す。
【図３】中空円筒両端の係止部実施例の部分拡大側面図を示す  （ａ）Ｖ字に切込を設けた部分拡大側面図。（ｂ）波形にくぼみを設けた部分拡大側面図。（ｃ）摩擦力の強い素材層を円周面上に設けた部分拡大側面図。
【符号の説明】
【００２４】１  上部中空円筒
２  下部中空円筒
３  スクロール画面
４  係止部
５  紐
６  吊紐部
７  重錘
【図１】
0003161974.tif 000003
【図２】
0003161974.tif 000004
【図３】
0003161974.tif 000005
【手続補正書】
【提出日】平成22年5月25日(2010.5.25)
【手続補正１】
【補正対象書類名】実用新案登録請求の範囲
【補正対象項目名】全文
【補正方法】変更
【補正の内容】
【実用新案登録請求の範囲】
【請求項１】
上部中空円筒と、下部中空円筒を上下に配置し、帯状スクロール画面部の一端を前記上部中空円筒の軸に対してＴ字型に取り付け、前記スクロール画面部の他端も前記下部中空円筒の軸芯に対してＴ字型に取りつけ、一体にした表示具において、前記上部中空円筒の両端末に、円周に沿って軸と並行に切込を複数箇所設けて各々係止部とし、前記上部中空円筒の中に紐を連通し、紐の最初と終わりをつないで環状の吊紐部とすると共に、前記下部中空円筒についても前記下部中空円筒の両端末に、円周に沿って軸と平行に切込を複数箇所設けて各々係止部とし、前記下部中空円筒の中に紐を連通し、その紐の初めと終わりをつないで環状の吊紐部とし、前記吊紐部が前記下部中空円筒の一端の係止部前面からでて、スクロール画面部の背面を経由し他端の係止部に挿入する配置に構成としたことを特徴とするカレンダー等スクロール表示具。
【請求項２】
前記下部中空円筒において、紐を二回通してから、紐の最初と終わりをつないで環状の吊紐部を二個構成したことを特徴とする請求項１記載のカレンダー等スクロール表示具。
【請求項３】
前記上部中空円筒と、前記下部中空円筒夫々の両端末の係止部において、円周面上に摩擦力に強い素材層の係止部を設けたことを特徴とする請求項１または請求項２記載のカレンダー等スクロール表示具。